(57)【特許請求の範囲】
【請求項１】
光を発光する発光素子、及び前記発光素子が発光した光を受光するとともに、受光した光量に応じた信号を出力する受光素子を有するフォトセンサと、
前記発光素子を第１発光期間で発光させ、前記受光素子から出力される信号を、前記第１発光期間において前記第１発光期間よりも短い第１検知期間毎に検知する第１検知条件と、前記発光素子を前記第１発光期間よりも短い第２発光期間で発光させ、前記受光素子から出力される信号を、前記第２発光期間の開始から前記第２発光期間かつ前記第１検知期間よりも短い第２検知期間経過後に検知する第２検知条件と、で切り替えて制御する検知制御部と、
前記検知制御部が検知した検知結果が正常か否かを判断する判断部と、
前記判断部の判断結果に基づいて第１モードと、前記第１モードよりも電力消費の少ない第２モードと、で切り替えて制御するモード制御部と、を備え、
前記モード制御部が前記第２モードで制御している際に、前記検知制御部は前記第２検知条件で制御し、
前記判断部が前記第２検知条件での検知結果を正常であると判断した場合、前記モード制御部は前記第２モードを維持したまま、前記検知制御部は前記第２検知条件から前記第１検知条件に切り替え、
前記検知制御部は、前記第１検知条件に切り替えた後、前記判断部が前記第１検知条件での検知結果を正常であると判断した場合、前記検知制御部は前記第１検知条件を維持したまま、前記モード制御部は前記第２モードから前記第１モードに切り替える処理装置。
【請求項２】
請求項１記載の処理装置であって、
前記判断部は基準結果を備えており、前記第２検知条件において、前記検知結果を前記基準結果と比較し、前記検知結果と前記基準結果が等しい場合に、前記検知結果が正常であると判断し、前記検知結果と前記基準結果が異なる場合に、前記検知結果が正常でないと判断する処理装置。
【請求項３】
請求項１記載の処理装置であって、
前記検知結果を検知した順番に関連付けて記憶する記憶部を備えており、
前記判断部は、前記検知結果を当該検知結果の直前に検知された直前検知結果と比較し、前記検知結果と前記直前検知結果が等しい場合に、前記検知結果が正常であると判断し、前記検知結果と前記直前検知結果が異なる場合に、前記検知結果が正常でないと判断する処理装置。
【請求項４】
光を発光する発光素子、及び前記発光素子が発光した光を受光するとともに、受光した光量に応じた信号を出力する受光素子を有するフォトセンサと、
前記発光素子を第１発光期間で発光させ、前記受光素子から出力される信号を、前記第１発光期間において前記第１発光期間よりも短い第１検知期間毎に検知する第１検知条件と、前記発光素子を前記第１発光期間よりも短い第２発光期間で発光させ、前記受光素子から出力される信号を、前記第２発光期間かつ前記第１検知期間よりも短い第２検知期間毎に検知する第２検知条件と、で切り替えて制御する検知制御部と、
前記検知制御部が検知した検知結果を検知した順番に関連付けて記憶する記憶部と、
前記検知結果が正常か否かを判断する判断部と、
前記判断部の判断結果に基づいて第１モードと、前記第１モードよりも電力消費の少ない第２モードと、で切り替えて制御するモード制御部と、を備え、
前記モード制御部が前記第２モードで制御している際に、前記検知制御部は前記第２検知条件で制御し、
前記判断部が前記第２検知条件での検知結果を正常であると判断した場合、前記モード制御部は前記第２モードを維持したまま、前記検知制御部は前記第２検知条件から前記第１検知条件に切り替えており、
前記検知制御部は、前記第２検知条件において前記検知結果を少なくとも２回検知しており、
前記判断部は、前記第２検知条件において検知された前記検知結果のうちの検知した順番が連続する少なくとも２つの連続検知結果を比較し、前記連続検知結果が等しい場合に、前記検知結果が正常であると判断し、前記連続検知結果が異なる場合に、前記連続検知結果が正常でないと判断し、
前記検知制御部は、更に、前記第１検知条件に切り替えた後、前記判断部が前記第１検知条件での検知結果を正常であると判断した場合、前記検知制御部は前記第１検知条件を維持したまま、前記モード制御部は前記第２モードから前記第１モードに切り替える処理装置。
【請求項５】
請求項１ないし請求項４のいずれか一項に記載の処理装置であって、
原稿を給紙する給紙トレイを備えており、
前記フォトセンサは、前記給紙トレイに前記原稿が載置されたか否かを検知する処理装置。
【発明の詳細な説明】
【技術分野】
【０００１】
本発明は、フォトセンサの検知結果が正しいか否かを判断する技術に関する。
【背景技術】
【０００２】
原稿が給紙されたことを検知するフォトセンサのように、装置状態の変化を検知するフォトセンサを備えた装置が用いられている。これらの装置では、例えば、フォトセンサによる検知結果に基づいて、駆動部等を駆動する通常状態と、駆動部等の電力をオフするスリープ状態を切り替えることで、装置の消費電力を低減することが可能である。特許文献１には、通常状態では常時点灯しているフォトセンサの発光を、スリープ状態では間欠的に点灯させる技術が開示されている。この技術によれば、スリープ状態におけるフォトセンサの発光期間を短縮することができ、更なる消費電力の低減が実現可能である。
【先行技術文献】
【特許文献】
【０００３】
【特許文献１】特開平７−３３６４８６号公報
【発明の概要】
【発明が解決しようとする課題】
【０００４】
原稿が給紙されたことを検知するフォトセンサでは、例えば、原稿を給紙トレイに載置したときや原稿を給紙トレイから除去したときのチャタリングや、装置の揺れ等により誤った検知結果を検知してしまう（誤検知する）ことがある。フォトセンサの検知結果によってスリープ状態と通常状態を切り替える装置では、誤検知によって消費電力の比較的少ないスリープ状態から消費電力の比較的多い通常状態に切り替わってしまうこととなり、装置の消費電力を低減することができない問題が生じていた。
【０００５】
本明細書では、フォトセンサの誤検知を抑制し、装置を省電力化する技術を提供することを目的とする。
【課題を解決するための手段】
【０００６】
本明細書によって開示される処理装置は、光を発光する発光素子、及び前記発光素子が発光した光を受光するとともに、受光した光量に応じた信号を出力する受光素子を有するフォトセンサと、前記発光素子を第１発光期間で発光させ、前記受光素子から出力される信号を、前記第１発光期間において前記第１発光期間よりも短い第１検知期間毎に検知する第１検知条件と、前記発光素子を前記第１発光期間よりも短い第２発光期間で発光させ、前記受光素子から出力される信号を、前記第２発光期間の開始から前記第２発光期間かつ前記第１検知期間よりも短い第２検知期間経過後に検知する第２検知条件と、で切り替えて制御する検知制御部と、前記検知制御部が検知した検知結果が正常か否かを判断する判断部と、前記判断部の判断結果に基づいて第１モードと、前記第１モードよりも電力消費の少ない第２モードと、で切り替えて制御するモード制御部と、を備え、前記モード制御部が前記第２モードで制御している際に、前記検知制御部は前記第２検知条件で制御し、前記判断部が前記第２検知条件での検知結果を正常であると判断した場合、前記モード制御部は前記第２モードを維持したまま、前記検知制御部は前記第２検知条件から前記第１検知条件に検知条件を切り替える。
【０００７】
また、上記の処理装置では、前記検知制御部は、前記第１検知条件に切り替えた後、前記判断部が前記第１検知条件での検知結果を正常であると判断した場合には、前記検知制御部は前記第１検知条件を維持したまま、前記モード制御部は前記第２モードから前記第１モードに動作モードを切り替えても良い。
【０００８】
また、上記の処理装置では、前記検知制御部は、前記第１検知条件に切り替えた後、前記判断部が前記第１検知条件での検知結果を正常でないと判断した場合には、前記モード制御部は前記第２モードを維持したまま、前記検知制御部は前記第１検知条件から前記第２検知条件に前記検知条件を切り替えても良い。
【０００９】
また、上記の処理装置では、前記判断部は基準結果を備えており、前記第２検知条件において、前記検知結果を前記基準結果と比較し、前記検知結果と前記基準結果が等しい場合に、前記検知結果が正常であると判断し、前記検知結果と前記基準結果が異なる場合に、前記検知結果が正常でないと判断しても良い。
【００１０】
また、上記の処理装置では、前記検知結果を検知した順番に関連付けて記憶する記憶部を備えており、前記判断部は、前記検知結果を当該検知結果の直前に検知された直前検知結果と比較し、前記検知結果と前記直前検知結果が等しい場合に、前記検知結果が正常であると判断し、前記検知結果と前記直前検知結果が異なる場合に、前記検知結果が正常でないと判断しても良い。
【００１１】
本明細書によって開示される処理装置は、また、光を発光する発光素子、及び前記発光素子が発光した光を受光するとともに、受光した光量に応じた信号を出力する受光素子を有するフォトセンサと、前記発光素子を第１発光期間で発光させ、前記受光素子から出力される信号を、前記第１発光期間において前記第１発光期間よりも短い第１検知期間毎に検知する第１検知条件と、前記発光素子を前記第１発光期間よりも短い第２発光期間で発光させ、前記受光素子から出力される信号を、前記第２発光期間かつ前記第１検知期間よりも短い第２検知期間毎に検知する第２検知条件と、で切り替えて制御する検知制御部と、前記検知制御部が検知した検知結果を検知した順番に関連付けて記憶する記憶部と、前記検知結果が正常か否かを判断する判断部と、前記判断部の判断結果に基づいて第１モードと、前記第１モードよりも電力消費の少ない第２モードと、で切り替えて制御するモード制御部と、を備える処理装置でもある。
【００１２】
上記の処理装置では、前記モード制御部が前記第２モードで制御している際に、前記検知制御部は前記第２検知条件で制御し、前記判断部が前記第２検知条件での検知結果を正常であると判断した場合、前記モード制御部は前記第２モードを維持したまま、前記検知制御部は前記第２検知条件から前記第１検知条件に切り替えており、前記検知制御部は、前記第２検知条件において前記検知結果を少なくとも２回検知しており、前記判断部は、前記第２検知条件において検知された前記検知結果のうちの検知した順番が連続する少なくとも２つの連続検知結果を比較し、前記連続検知結果が等しい場合に、前記検知結果が正常であると判断し、前記連続検知結果が異なる場合に、前記連続検知結果が正常でないと判断する。
【００１３】
また、上記の処理装置では、原稿を給紙する給紙トレイを備えており、前記フォトセンサは、前記給紙トレイに前記原稿が載置されたか否かを検知しても良い。
【発明の効果】
【００１４】
本明細書によって開示される処理装置では、モード制御部が第２モードで制御しており、検知制御部が第２検知条件で制御している際に検知された検知結果が正常であると判断された場合、処理実行部の動作モードを第２モードから第１モードに切り替えることなく、検知制御部の検知条件を第２検知条件から第１検知条件に切り替える。これによって、ノイズや振動等の影響によって検知結果が正常でなくなった場合に、直ちに第１モードよりも省電力な第２モードが第１モードに変更されてしまうことが抑制され、装置を省電力化することができる。また、この処理装置では、上記の場合に、検知制御部の検知条件を第２検知条件よりも検知期間の長い第１検知条件に切り替える。これによって、例えば第２検知期間よりも長く第１検知期間よりも短い期間に亘って印加されるノイズや振動等の影響を除去することができ、フォトセンサの誤検知を抑制することができる。
【図面の簡単な説明】
【００１５】
【図１】複合機１の原稿カバーを上げた状態を示す斜視図
【図２】複合機１の画像読取装置３の概略的な断面図
【図３】原稿センサ３２による検知を説明する図
【図４】原稿センサ３２による検知を説明する図
【図５】原稿センサ３２の概略的な回路図
【図６】複合機１の電気的構成を概略的に示すブロック図
【図７】実施形態１の制御処理を示すフローチャート
【図８】実施形態１の制御処理を示すフローチャート
【図９】実施形態１の制御処理を示すフローチャート
【図１０】実施形態１の検知タイミングを示すタイミングチャート
【図１１】実施形態１の検知タイミングを示すタイミングチャート
【図１２】実施形態２の制御処理を示すフローチャート
【図１３】実施形態２の制御処理を示すフローチャート
【図１４】実施形態３の制御処理を示すフローチャート
【図１５】検知タイミングの時間間隔が狭いことによる問題点を説明する図
【図１６】検知タイミングの時間間隔が狭いことによる問題点を説明する図
【発明を実施するための形態】
【００１６】
＜実施形態１＞
実施形態１を、図１ないし図１１を用いて説明する。
【００１７】
１．複合機の機械的構成
図１は、本発明の画像形成装置の一例である複合機１の外観を示す斜視図であり、原稿カバー４８を上げた開姿勢における複合機１の外観を示す。この複合機１は、プリンタ機能、スキャナ機能、コピー機能、ファクシミリ機能などを備えた多機能周辺装置である。図２は、原稿カバー４８を下げた閉姿勢における画像読取装置３の断面図である。
【００１８】
図１に示すように、複合機１は、本体部２の上方に原稿を読み取るための画像読取装置３を備えている。画像読取装置３は、後述する読取部３０、原稿自動送り装置（ＡＤＦ）４０、及び原稿載置部５０等を含む。
【００１９】
原稿載置部５０は、台枠５１、透明なガラス板からなる第１プラテンガラス５２、第２プラテンガラス５３を含む。原稿載置部５０は、原稿カバー４８によって開閉可能に覆われている。
【００２０】
原稿カバー４８は、原稿載置部５０を覆う閉姿勢と原稿載置部５０を開放する開姿勢とに回動可能であり、複合機１の本体部２の後側（操作部１１、表示部１２等が設けられる側を前側とする）に連結されている。原稿カバー４８上に、ＡＤＦ４０が設けられている。
【００２１】
図２に示すように、ＡＤＦ４０は、ＡＤＦカバー４１、原稿トレイ４２、原稿センサ４３、遮蔽部材４４、搬送路４５、各種ローラ４６、これらを駆動する図示しないステッピングモータ、排紙トレイ４７、および押圧部材４９等を含む。
【００２２】
図３及び図４に示すように、原稿センサ４３は原稿トレイ４２の下部に配置されており、遮蔽部材４４は、原稿トレイ４２内に配置された軸４４Ａ回りに回転可能に支持されている。図３に示すように、原稿トレイ４２に原稿が載置されていない状態では、遮蔽部材４４の上端４４Ｂは原稿トレイ４２に形成された穴部４２Ａから原稿トレイ４２の上部に突出しており、遮蔽部材４４の下端４４Ｃは原稿センサ４３に設けられた凹み４３Ｃ（図５参照）内に位置している。図４に示すように、原稿トレイ４２に原稿が載置されると、遮蔽部材４４が原稿に押されて軸４４Ａ回りに回転し、遮蔽部材４４の下端４４Ｃが原稿センサ４３の凹み４３Ａから外れる。
【００２３】
図５に、原稿センサ４３の等価回路を示す。原稿センサ４３は、発光ダイオード４３Ａと光励起トランジスタ４３Ｂを含む。発光ダイオード４３Ａの一端は、抵抗Ｒ２を介して電源Ｖｃｃに接続されており、発光ダイオード４３Ａの他端は、トランジスタＴＲ１を介してグランドＧＮＤに接続されている。トランジスタＴＲ１のスイッチ端子ＳＴ１は、後述する中央処理装置２０に接続されている。中央処理装置２０からスイッチ端子ＳＴ１に印加される制御信号によってトランジスタＴＲ１がオフすると、発光ダイオード４３Ａは発光を停止する。一方、中央処理装置２０からの制御信号によってトランジスタＴＲ１がオンすると、発光ダイオード４３Ａを介して電源ＶｃｃからグランドＧＮＤに電流が流れ、発光ダイオード４３Ａは発光する。
【００２４】
光励起トランジスタ４３Ｂは、発光ダイオード４３Ａに対向して配置されている。光励起トランジスタ４３Ｂの一端４３Ｄは、抵抗Ｒ１を介して電源Ｖｃｃに接続されているとともに、中央処理装置２０に接続されている。光励起トランジスタ４３Ｂの他端は、グランドＧＮＤに接続されている。発光ダイオード４３Ａが発光しない場合、あるいは発光ダイオード４３Ａが発光したにも関わらず、発光ダイオード４３Ａと光励起トランジスタ４３Ｂの間の凹み４３Ｃに遮蔽部材４４が入り込んでおり、発光ダイオード４３Ａが発行した光が光励起トランジスタ４３Ｂに入射されない場合（原稿トレイ４２に原稿が載置されていない場合に相当）、光励起トランジスタ４３Ｂはオフし、光励起トランジスタ４３Ｂの一端４３Ｄの電位は電源Ｖｃｃ電位（以下、ＨＩＧＨと呼ぶ）となる。一方、発光ダイオード４３Ａが発光し、その光が光励起トランジスタ４３Ｂに入射される場合（原稿トレイ４２に原稿が載置されている場合に相当）、光励起トランジスタ４３Ｂはオンし、光励起トランジスタ４３Ｂの一端４３Ｄの電位はグランドＧＮＤ電位（以下、ＬＯＷと呼ぶ）となる。
【００２５】
つまり、中央処理装置２０は、発光ダイオード４３Ａを発光させ、その際の光励起トランジスタ４３Ｂの一端４３Ｄの電位を検知することで、原稿トレイ４２に原稿が載置されているか否かを検知することができる。
【００２６】
ＡＤＦ４０は、原稿トレイ４２に原稿が載置されたことを検知すると、ローラ４６を駆動して原稿トレイ４２に載置されている原稿を一枚ずつ搬送路４５に搬送し、搬送路４５上に位置する第２プラテンガラス５３上を通過させ、排紙トレイ４７に排出する。押圧部材４９は、第２プラテンガラス５３上を通過する原稿が第２プラテンガラス５３から浮かないように、原稿を第２プラテンガラス５３に押圧する。ＡＤＦ４０は、この他に、搬送路４５を搬送する原稿を検知するための図示しない複数のフォトセンサを含む。
【００２７】
読取部３０は、原稿載置部５０の下方に設けられている。読取部３０は、ＣＩＳ（Ｃｏｎｔａｃｔ  Ｉｍａｇｅ  Ｓｅｎｓｏｒ）を用いた、いわゆるＣＩＳ方式で第２プラテンガラス５３上を通過する原稿を読み取る。読取部３０は、複数の受光素子が図２の紙面垂直方向に直線状に配列されているリニアイメージセンサ３３、ＲＧＢ３色の発光ダイオードなどで構成される光源３１、原稿で反射された光源３１からの反射光をリニアイメージセンサ３３の各受光素子に結像させるロッドレンズアレイ３２、これらが搭載されるキャリッジ３４、およびキャリッジ３４を搬送する図示しない搬送機構を含む。リニアイメージセンサ３３は、受光素子に結像した反射光の輝度や色度を検出し、原稿の画像に基づくデータを生成する。原稿の画像には、原稿に表示された内容の他、原稿自体の形状も含む。なお、読取部３０はＣＩＳ方式に限られず、ＣＣＤ（電荷結合素子）イメージセンサを用いた、いわゆるＣＣＤ方式であってもよい。
【００２８】
さらに、複合機１の前側には、各種のボタンからなり、ユーザからの操作指令を受け付ける操作部１１、複合機１の状態を表示する液晶ディスプレイからなる表示部１２が設けられている。また、複合機１は、本体部２の下方に画像形成部１３を備えている。
【００２９】
２．複合機の電気的構成
図６は、複合機１の電気的構成を概略的に示すブロック図である。図６に示すように、複合機１は、中央処理装置（以下「ＣＰＵ」という）２０、ＲＯＭ２４、ＲＡＭ２６、およびネットワークインターフェイス２８を備え、これらに操作部１１、表示部１２、画像形成部１３、読取部３０、ＡＤＦ４０などが接続されている。
【００３０】
ＲＯＭ２４には、複合機１の動作を制御するための各種のプログラムが記憶されており、ＣＰＵ２０は、ＲＯＭ２４から読み出したプログラムに従って、検知制御部２１、判断部２２、モード制御部２３等として機能し、各部の制御を行う。
【００３１】
画像形成部１３は、読取部３０が読み取った読取画像等を用紙などの被記録媒体上に形成する。ネットワークインターフェイス２８は、通信回線（図示せず）を介して外部のコンピュータ等に接続され、これら外部のコンピュータ等との相互のデータ通信を可能としている。
【００３２】
３．制御処理
次に、図７ないし図１１を参照して、ＣＰＵ２０における処理について説明する。
（処理動作）
図７ないし図９は、ＣＰＵ２０が所定の検知タイミングで検知した原稿センサ４３の一端４３Ｄの電位（以下、検知電位と呼ぶ）に基づいて、表示部１２と、画像形成部１３とからなる駆動部１４を通常モードＭ１とスリープモードＭ２で切り替えて制御する処理のフローチャートを示す。この際、ＣＰＵ２０はモード制御部２１として機能する。ここで通常モードＭ１とは、駆動部１４の全ての機能が実行可能となっている動作モードであり、全ての機能を実行可能に待機するための電力が必要である。一方、スリープモードＭ２とは、駆動部１４の一部の機能のみが実行可能となっている動作モードであり、通常モードＭ１に比べて電力消費の少ない動作モードである。
【００３３】
また、図１０及び図１１は、ＣＰＵ２０の検知タイミングを示すタイミングチャートである。図１０は、スリープモードＭ２（期間Ｔ２）において、原稿トレイ４２に原稿が載置される場合のタイミングチャートを示し、図１１は、スリープモードＭ２（期間Ｔ２）において、原稿トレイ４２に原稿が載置されておらず、装置の揺れによるノイズが生じた場合のタイミングチャートを示す。
【００３４】
図１０及び図１１に示すように、ＣＰＵ２０は異なる２つの検知条件を用いて検知電位を検知している。この際、ＣＰＵ２０は検知制御部２１として機能する。図１０及び図１１の期間Ｔ１において、ＣＰＵ２０は、駆動部１４を通常モードＭ１で制御するとともに、検知電位を第１検知条件Ｚ１で検知している。第１検知条件Ｚ１では、ＣＰＵ２０は原稿センサ４３の発光ダイオード４３Ａを常時発光させるとともに、発光ダイオード４３Ａの発光開始から第１検知期間ＫＴ１毎に検知電位を検知する。
【００３５】
また、図１０及び図１１の期間Ｔ２において、ＣＰＵ２０は、駆動部１４をスリープモードＭ２で制御するとともに、検知電位を第２検知条件Ｚ２で検知している。第２検知条件Ｚ２では、ＣＰＵ２０は、原稿センサ４３の発光ダイオード４３Ａを非発光期間ＨＴ１に亘って発光させないとともに、発光期間ＨＴ２に亘って発光させることを交互に繰り返すように制御する。また、ＣＰＵ２０は、発光期間ＨＴ２の開始から第２検知期間ＫＴ２経過時の検知電位を検知する。なお、第２検知条件Ｚ２における検知タイミングは、発光期間ＨＴ２の開始から第２検知期間ＫＴ２経過時でもよければ、第２検知期間ＫＴ２経過時から一定期間後でも良い。
【００３６】
第２検知期間ＫＴ２は、発光期間ＨＴ２よりも短く、また第１検知期間ＫＴ１よりも短い。そのため、第２検知条件Ｚ２では第１発光条件Ｚ１に比べて、発光ダイオード４３Ａの発光開始から早い段階の検知電位を検知する。また、図１０及び図１１の期間Ｔ３において、ＣＰＵ２０はスリープモードＭ２で駆動部１４を制御しているとともに、ＣＰＵ２０は第１検知条件Ｚ１で検知電位を検知している。つまり、ＣＰＵ２０がスリープモードＭ２で駆動部１４を制御している際に、必ずしもＣＰＵ２０が第２検知条件Ｚ２で検知電位を検知するように設定されている訳ではない。なお、いずれの検知条件においても、ＣＰＵ２０は取得した検知電位を取得した順番に従ってＲＡＭ２６に一時的に記憶する。
【００３７】
（処理手順）
図７ないし図９は、ＣＰＵ２０が所定のプログラムに従って実行する本実施形態のフローチャートを示す。ＣＰＵ２０は、ユーザによって複合機１の電源がオンされると、図７に示すように、駆動部１４を通常モードＭ１で制御するとともに、検知電位の検知条件を第１検知条件Ｚ１に設定する（Ｓ２：図１０及び図１１の期間Ｔ１に相当）。ＣＰＵ２０は、原稿センサ４３の発光ダイオード４３Ａを常時発光させるとともに、発光ダイオード４３Ａの発光開始からの経過時間Ｔを計測する。
【００３８】
ＣＰＵ２０は、経過時間Ｔが第１検知期間ＫＴ１経過するまで待機し（Ｓ４：ＮＯ）、経過時間Ｔが第１検知期間ＫＴ１経過すると（Ｓ４：ＹＥＳ）、検知電位を検知する（Ｓ６）。
【００３９】
次にＣＰＵ２０は、経過時間Ｔがさらに第１検知期間ＫＴ１経過するまで待機し（Ｓ８：ＮＯ）、経過時間Ｔがさらに第１検知期間ＫＴ１経過すると（Ｓ８：ＹＥＳ）、検知電位を検知する（Ｓ１０）。
【００４０】
次にＣＰＵ２０は、取得した検知結果が正常であるか否かを判断する（Ｓ１２）。この際、ＣＰＵ２０は判断部２２として機能する。本実施形態において、「正常」な検知結果とは、原稿トレイ４２に原稿が載置されていることを示す検知結果を意味している。ＣＰＵ２０は、ＲＡＭ２６に記憶されているＳ１０で取得された検知電位ＫＤ１と、Ｓ１０の直前に取得された検知電位ＫＤ２とを読み出す。ＣＰＵ２０は、検知電位ＫＤ１と検知電位ＫＤ２がともにＬＯＷである場合（Ｓ１２：ＹＥＳ）、原稿トレイ４２に原稿が載置されていると判断する。この場合、ＣＰＵ２０は、表示部１２に原稿トレイ４２に原稿が有ると表示する（Ｓ２０）とともに、ＲＡＭ２６に記憶されているＡＤＦ読取処理フラグをオンに設定し（Ｓ２２）、Ｓ８からの処理を繰り返す。ＣＰＵ２０は、ＡＤＦ読取処理フラグをオンに設定することで、第１プラテンガラス５２上に原稿が載置されている場合でも、ＡＤＦ４０による原稿の読み取りを優先的に実行する。これによって、原稿トレイ４２に載置された原稿を優先的に読み取ることができる。
【００４１】
ＣＰＵ２０は、検知電位ＫＤ１と検知電位ＫＤ２がともにＨＩＧＨである場合（Ｓ１４：ＹＥＳ）、原稿トレイ４２に原稿が載置されていないと判断する。この場合、ＣＰＵ２０は、表示部１２に原稿トレイ４２に原稿が無いと表示する（Ｓ２４）とともに、ＡＤＦ読取処理フラグをオフに設定する（Ｓ２６）。ＣＰＵ２０は、ＡＤＦ読取処理フラグをオフに設定することで、第１プラテンガラス５２上に載置された原稿の読み取りを優先的に実行する。これによって、原稿トレイ４２に原稿が載置されていない場合に、ＡＤＦ４０が原稿トレイ４２から原稿を読み取ろうとすることを防止することができる。
【００４２】
ＣＰＵ２０は、検知電位ＫＤ１と検知電位ＫＤ２が上記以外の場合（Ｓ１２、Ｓ１４：ＮＯ）、つまり、検知電位ＫＤ１と検知電位ＫＤ２が異なっている場合、原稿トレイ４２に原稿が載置されているか否かを判断せず、表示部１２における原稿有無の表示、及びＡＤＦ読取処理フラグを前回の状態に維持する。
【００４３】
ＣＰＵ２０は、検知電位ＫＤ１と検知電位ＫＤ２が異なっている場合（Ｓ１２、Ｓ１４：ＮＯ）、あるいはＳ２６の処理後、駆動部１４をスリープモードＭ２に切り替えるか否かを判断する（Ｓ１６）。ＣＰＵ２０は、複合機１が以下の２つの条件に当てはまるか否かを確認する。
（１）操作部１１を介してユーザからスリープモードＭ２への移行指示が入力された。
（２）ＡＤＦ読取処理フラグをオフに設定してからの時間が予め定められた基準時間を超えた。
【００４４】
ＣＰＵ２０は、上記の２つの条件のいずれにも当てはまらない場合（Ｓ１６：ＮＯ）、Ｓ８からの処理を繰り返す。一方、ＣＰＵ２０は、上記の２つの条件の少なくとも一方に当てはまる場合（Ｓ１６：ＹＥＳ）、図８に示すように、駆動部１４をスリープモードＭ２に切り替える（Ｓ３２：図１０及び図１１の期間Ｔ２に相当）。スリープモードＭ２において、ＣＰＵ２０は、画像形成部１３への電力の供給を停止するように指示し、表示部１２への表示を停止する。
【００４５】
またＣＰＵ２０は、検知電位の検知条件を第２検知条件Ｚ２に切り替える。ＣＰＵ２０は、検知電位の検知条件を第２検知条件Ｚ２に設定してからの経過時間Ｔの計測を開始するとともに、原稿センサ４３の発光ダイオード４３Ａを非発光状態とする（Ｓ３４）。
【００４６】
ＣＰＵ２０は、発光ダイオード４３Ａが非発光状態である場合（Ｓ３６：ＮＯ）、経過時間Ｔが非発光期間ＨＴ１経過するまで待機する（Ｓ４４：ＮＯ）。ＣＰＵ２０は、経過時間Ｔが非発光期間ＨＴ１経過すると（Ｓ４４：ＹＥＳ）、発光ダイオード４３Ａを発光状態とし（Ｓ４６）、Ｓ３６の処理に戻る。
【００４７】
一方、ＣＰＵ２０は、発光ダイオード４３Ａが発光状態である場合（Ｓ３６：ＹＥＳ）、経過時間Ｔが第２検知期間ＫＴ２経過するまで待機し（Ｓ３８：ＮＯ）、経過時間Ｔが第２検知期間ＫＴ２経過すると（Ｓ３８：ＹＥＳ）、検知電位を検知する（Ｓ４０）。
【００４８】
次にＣＰＵ２０は、取得した検知電位が基準結果と等しいか否かを判断する（Ｓ４２）。本実施形態において、「基準結果」とは、検知電位がＬＯＷであること、すなわち原稿トレイ４２に原稿が載置されていることを示す結果である。ＣＰＵ２０は、ＲＡＭ２６に記憶されているＳ４０で取得された検知電位ＫＤ３を読み出し、検知電位ＫＤ３がＨＩＧＨである場合（Ｓ４２：ＮＯ）、原稿トレイ４２に原稿が載置されていないと判断する。この場合、ＣＰＵ２０は、経過時間Ｔが発光期間ＨＴ２経過するまで待機し（Ｓ４８：ＮＯ）、経過時間Ｔが発光期間ＨＴ２経過すると（Ｓ４８：ＹＥＳ）、原稿センサ４３の発光ダイオード４３Ａを非発光状態とし（Ｓ５０）、Ｓ３６の処理に戻る。
【００４９】
一方、ＣＰＵ２０は、検知電位ＫＤ３がＬＯＷである場合（Ｓ４２：ＹＥＳ）、図９に示すように、駆動部１４をスリープモードＭ２で制御したまま、検知電位の検知条件を第１検知条件Ｚ１に切り替える（Ｓ５２：図１０及び図１１の期間Ｔ３に相当）。ＣＰＵ２０は、原稿センサ４３の発光ダイオード４３Ａを常時発光させるとともに、発光ダイオード４３Ａの発光開始からの経過時間Ｔを計測する。
【００５０】
ＣＰＵ２０は、経過時間Ｔが第１検知期間ＫＴ１経過するまで待機し（Ｓ５４：ＮＯ）、経過時間Ｔが第１検知期間ＫＴ１経過すると（Ｓ５４：ＹＥＳ）、検知電位を検知する（Ｓ５６）。
【００５１】
次にＣＰＵ２０は、判断部２２として機能し、取得した検知結果が正常であるか否かを判断する（Ｓ５８、Ｓ６０）。ＣＰＵ２０は、ＲＡＭ２６に記憶されているＳ５８で取得された検知電位ＫＤ４と、Ｓ５８の直前に取得された検知電位ＫＤ５とを読み出す。ＣＰＵ２０は、検知電位ＫＤ４と検知電位ＫＤ５がともにＬＯＷである場合（Ｓ５８：ＹＥＳ）、原稿トレイ４２に原稿が載置されたと判断する。この場合、ＣＰＵ２０は、検知電位の検知条件を第１検知条件Ｚ１に維持したまま、駆動部１４を通常モードＭ１に切り替える（Ｓ６４：図１０の期間Ｔ５に相当）。ＣＰＵ２０は、表示部１２に原稿トレイ４２に原稿が有ることを表示する（Ｓ６６）とともに、ＲＡＭ２６に記憶されているＡＤＦ読取処理フラグをオンに設定し（Ｓ６８）、Ｓ８からの処理を繰り返す。
【００５２】
ＣＰＵ２０は、検知電位ＫＤ４と検知電位ＫＤ５がともにＨＩＧＨである場合（Ｓ６０：ＹＥＳ）、原稿トレイ４２に原稿が載置されていないと判断する。この場合、ＣＰＵ２０は、駆動部１４をスリープモードＭ２で制御したまま、検知電位の検知条件を第２検知条件Ｚ２に切り替える（Ｓ６２：図１１の期間Ｔ４に相当）。ＣＰＵ２０は、検知電位の検知条件を第２検知条件Ｚ２に設定してからの経過時間Ｔの計測を開始し、Ｓ３４からの処理を繰り返す。
【００５３】
ＣＰＵ２０は、検知電位ＫＤ４と検知電位ＫＤ５が上記以外となる場合（Ｓ５８、Ｓ６０：ＮＯ）、つまり、検知電位ＫＤ４と検知電位ＫＤ５が異なっている場合、原稿トレイ４２に原稿が載置されているか否かを判断せず、Ｓ５４からの処理を繰り返す。
【００５４】
４．本実施形態の効果
（１）本実施形態の複合機１では、ＣＰＵ２０が駆動部１４をスリープモードＭ２で制御しており、第２検知条件Ｚ２を用いて検知電位を検知している際に、検知された検知結果が正常であると判断された場合、ＣＰＵ２０は駆動部１４をスリープモードＭ２で制御したまま、検知電位の検知条件を第２検知条件Ｚ２から第１検知条件Ｚ１に切り替える。
【００５５】
図３及び図４に示すように、原点センサ４３では、原点センサ４３の凹み４３Ｃに遮蔽部材４４が入り込んでいない場合に、原稿トレイ４２に原稿が載置されていないことを検知する。しかし、複合機１に振動が印加された場合に遮蔽部材４４が軸４４Ａ周りに回転してしまうとともに、原点センサ４３の凹み４３Ｃに遮蔽部材４４が入り込んでしまう。すると、原稿トレイ４２に原稿が載置されていないにも関わらず、原稿トレイ４２に原稿が載置されていると検知してしまうことがある。また、電源Ｖｃｃと原点センサ４３の光励起トランジスタ４３Ｂを接続する配線にノイズが生じてしまう。すると、原稿トレイ４２に原稿が載置されていない（検知結果が正常でない）にも関わらず、原稿トレイ４２に原稿が載置されている（検知結果が正常である）と誤検知してしまうことがある。また、原稿トレイ４２に原稿が載置される際、あるいは原稿トレイ４２から原稿が除去される際に遮蔽部材４４が振動（チャタリング）してしまい、光励起トランジスタ４３Ｂがオン／オフを繰り返し、原稿トレイ４２に原稿が載置されていない（検知結果が正常でない）にも関わらず、原稿トレイ４２に原稿が載置されている（検知結果が正常である）と誤検知してしまうことがある。
【００５６】
そのため、取得された検知結果が正常であると判断される場合に、ＣＰＵ２０が駆動部１４を直ちにスリープモードＭ２から通常モードＭ１に切り替えてしまうと、誤検知に基づいてスリープモードＭ２から通常モードＭ１に切り替えられてしまうことがある。すると、複合機１の設置される環境によっては、駆動部１４をスリープモードＭ２に維持することが難しく、複合機１を省電力化することが難しい場合がある。
【００５７】
本実施形態の複合機１では、取得された検知結果が正常であると判断される場合に、駆動部１４をスリープモードＭ２に維持したまま、検知電位の検知を続行する。これによって、駆動部１４を直ちにスリープモードＭ２から通常モードＭ１に切り替えてしまう場合に比べて、複合機１を省電力化することができる。
【００５８】
さらに、この複合機１では、駆動部１４をスリープモードＭ２に維持したまま、検知電位の検知を続行する際に、検知電位の検知条件を第２検知条件Ｚ２から第１検知条件Ｚ１に切り替えて、検知電位を検知する。これによって、例えば原点センサ４３の発光ダイオード４３Ａの発光開始から第２検知期間ＫＴ２よりも長く、第１検知期間ＫＴ１よりも短い期間に亘って複合機１に印加されるノイズや振動等の影響を除去することができ、原稿センサ４３の誤検知を抑制することができる。特に第２検知条件Ｚ２では、第１発光条件Ｚ１に比べて発光ダイオード４３Ａの発光開始から早い段階の検知電位を検知しており、発光ダイオード４３Ａの発光が安定していない虞がある。検知電位の検知条件を第２検知条件Ｚ２から第１検知条件Ｚ１に切り替えることで、ダイオード４３Ａの発光を安定させることができ、原稿センサ４３の誤検知を抑制することができる。
【００５９】
（２）ＣＰＵ２０は、検知電位の検知条件を第１検知条件Ｚ１に切り替えた後に検知電位を再び検知する。再検知された検知結果がなお正常であると判断された場合、複合機１が正常な状態（つまり、原稿トレイ４２に原稿が載置されている状態）になった可能性が高い。本実施形態の複合機１では、上記の場合に、駆動部１４の動作モードをスリープモードＭ２から通常モードＭ１に切り替えることで、原稿トレイ４２に載置された原稿の読み取り等の処理を実行することができる。
【００６０】
（３）ＣＰＵ２０は、検知電位の検知条件を第１検知条件Ｚ１に切り替えた後に検知電位を再び検知する。再検知された検知結果が正常でないと判断された場合、第１検知条件Ｚ１に切り替える前に取得した検知電位が誤検知である可能性が高い。本実施形態の複合機１では、上記の場合に、駆動部１４の動作モードをスリープモードＭ２に維持するので、複合機１を省電力化する。さらに、この複合機１では、検知電位の検知条件を第２検知条件Ｚ２から第１検知条件Ｚ１に戻すことで、発光ダイオード４３Ａの発光期間を短縮し、発光ダイオード４３Ａの発光による電力消費を抑制することで、複合機１をより省電力化することができる。
【００６１】
（４）本実施形態の複合機１では、第２検知条件Ｚ２において検知した検知結果が正常であるか否かを判断する際に、検知結果を予め決められた基準結果（つまり、検知電位ＫＤがＬＯＷ）と比較を行う。そのため、検知結果に基づいて特定される状態が、基準結果に基づいて特定される状態（つまり、原稿トレイ４２に原稿が載置されている状態）と異なる状態か否かを判断することができる。
【００６２】
＜実施形態２＞
実施形態２を、図１２及び図１３を用いて説明する。実施形態１では、原稿トレイ４２に原稿が載置されているか否かに基づいて処理を実行する形態を説明した。しかし、複合機１では、原稿トレイ４２に原稿が載置されているか否かに関わらず、原稿トレイ４２の原稿状態（原稿が載置されている状態、及び原稿が載置されていない状態）が維持されるか否かが問題となる場合もある。本実施形態では、原稿トレイ４２の原稿状態が維持されるか否かに基づいて処理を実行する形態について説明する。以下の説明では、実施形態１と同一の内容については重複した記載を省略する。
【００６３】
１．制御処理
図９及び図１２及び図１３は、ＣＰＵ２０が所定のプログラムに従って実行する本実施形態のフローチャートを示す。ＣＰＵ２０は、ユーザによって複合機１の電源がオンされると、図１２に示すように、Ｓ２ないしＳ１０の処理を実行し、これらの処理において取得した検知電位ＫＤ１、ＫＤ２がともにＬＯＷである場合（Ｓ１２：ＹＥＳ）、続けてＳ２０及びＳ２２の処理を実行する。また、ＣＰＵ２０は、取得した検知電位ＫＤ１、ＫＤ２がともにＨＩＧＨである場合（Ｓ１４：ＹＥＳ）、続けてＳ２４及びＳ２６の処理を実行する。
【００６４】
上記の場合、ＣＰＵ２０が取得した検知結果は、少なくともこれらの２回の取得において変化していない。つまり、原稿トレイ４２の原稿状態は、これらの間の検知期間に亘って維持されている。ＣＰＵ２０は、上記の場合に、駆動部１４をスリープモードＭ２に切り替えるか否かを判断する（Ｓ７２）。ＣＰＵ２０は、複合機１が以下の２つの条件に当てはまるか否かを確認する。
（１）操作部１１を介してユーザからスリープモードＭ２への移行指示が入力された。
（２）原稿トレイ４２の原稿状態が予め定められた基準時間を超えて維持された。
【００６５】
ＣＰＵ２０は、上記の２つの条件のいずれにも当てはまらない場合（Ｓ７２：ＮＯ）、Ｓ８からの処理を繰り返す。一方、ＣＰＵ２０は、上記の２つの条件の少なくとも一方に当てはまる場合（Ｓ７２：ＹＥＳ）、図１３に示すように、駆動部１４をスリープモードＭ２に切り替え、検知電圧の検知条件を第２検知条件Ｚ２に切り替える。
【００６６】
一方、ＣＰＵ２０は、上記以外の場合（Ｓ１２、Ｓ１４：ＮＯ）、つまり、原稿トレイ４２の原稿状態がこれらの間の検知期間に亘って維持されていない場合に、Ｓ８からの処理を繰り返す。
【００６７】
スリープモードＭ２に移行後、ＣＰＵ２０は、Ｓ３２ないしＳ４０の処理を実行するとともに、判断部２２として機能し、これらの処理で取得した検知結果が正常であるか否かを判断する（Ｓ７４）。本実施形態において、「正常」な検知結果とは、原稿トレイ４２の原稿状態が維持されていることを示す検知結果を意味している。ＣＰＵ２０は、ＲＡＭ２６に記憶されているＳ４０で取得された検知電位ＫＤ３と、Ｓ４０の直前に取得された検知電位ＫＤ６とを読み出す。ＣＰＵ２０は、検知電位ＫＤ３と検知電位ＫＤ６が等しい場合（Ｓ７４：ＹＥＳ）、原稿トレイ４２の原稿状態が維持されていると判断する。この場合、ＣＰＵ２０は、Ｓ４８及びＳ５０の処理を実行し、Ｓ３６の処理に戻る。
【００６８】
一方、ＣＰＵ２０は、検知電位ＫＤ３と検知電位ＫＤ６が異なる場合（Ｓ７４：ＮＯ）、原稿トレイ４２の原稿状態が維持されていないと判断する。この場合、ＣＰＵ２０は、図９に示すように、駆動部１４をスリープモードＭ２で制御したまま、検知電位の検知条件を第２検知条件Ｚ２に切り替え、Ｓ５２ないしＳ６８の処理を実行する。
【００６９】
４．本実施形態の効果
（１）本実施形態の複合機１では、取得した検知結果が正常であるか否かを判断する際に、直前に検知した検知電位と比較を行う。そのため、これらの間の検知期間に亘って、検知電位が維持されたか否かを判断することができ、これらの間の検知期間に亘って、原稿状態が維持されたか否かを判断することができる。
【００７０】
＜実施形態３＞
実施形態３を、図１４ないし図１６を用いて説明する。本実施形態では、検知電位を第２検知条件Ｚ２で検知する際に、同一の発光期間中に検知電位を少なくとも２回検知し、これらの検知電位同士を比較する点で、実施形態１と異なる。以下の説明では、実施形態１と同一の内容については重複した記載を省略する。
【００７１】
１．制御処理
（処理動作）
第２検知条件Ｚ２の発光期間ＨＴ２において、ＣＰＵ２０は、発光期間ＨＴ２の開始から第２検知期間ＫＴ２経過毎に検知電位を検知している。なお、本実施形態では、発光期間ＨＴ２は、第２検知期間ＫＴ２の２倍よりも長く設定されており、第２検知条件Ｚ２で検知電位を少なくとも２回検知できるように設定されている。
【００７２】
図７及び図９及び図１４は、ＣＰＵ２０が所定のプログラムに従って実行する本実施形態のフローチャートを示す。ＣＰＵ２０は、ユーザによって複合機１の電源がオンされると、図８に示すように、Ｓ２ないしＳ２６の処理を実行し、所定の場合にスリープモードＭ２に移行する。
【００７３】
図１４に示すように、スリープモードＭ２に移行後、ＣＰＵ２０は、Ｓ３２ないしＳ３４の処理を実行する。ＣＰＵ２０は、発光ダイオード４３Ａが非発光状態である場合（Ｓ３６：ＮＯ）、Ｓ４４ないしＳ４６の処理を実行し、Ｓ３６の処理に戻る。
【００７４】
一方、ＣＰＵ２０は、発光ダイオード４３Ａが発光状態である場合（Ｓ３６：ＹＥＳ）、経過時間Ｔが第２検知期間ＫＴ２経過するまで待機し（Ｓ８２：ＮＯ）、経過時間Ｔが第２検知期間ＫＴ２経過すると（Ｓ８２：ＹＥＳ）、検知電位を検知する（Ｓ８４）。
【００７５】
次にＣＰＵ２０は、経過時間Ｔがさらに第２検知期間ＫＴ２経過するまで待機し（Ｓ８６：ＮＯ）、経過時間Ｔがさらに第２検知期間ＫＴ２経過すると（Ｓ８６：ＹＥＳ）、検知電位を検知する（Ｓ４０）。
【００７６】
次にＣＰＵ２０は、ＲＡＭ２６に記憶されているＳ４０で検知された検知電位ＫＤ３と、Ｓ４０の直前に検知された検知電位であって、検知電位ＫＤ３と同一の発光期間ＨＴ２に検知された検知電位ＫＤ７とを読み出す。ＣＰＵ２０は、検知電位ＫＤ３と検知電位ＫＤ７がともにＬＯＷである場合（Ｓ８８：ＹＥＳ）、図９に示すように、駆動部１４をスリープモードＭ２で制御したまま、検知電位の検知条件を第２検知条件Ｚ２に切り替え、Ｓ５２ないしＳ６８の処理を実行する。
【００７７】
ＣＰＵ２０は、検知電位ＫＤ３と検知電位ＫＤ７の少なくとも一方がＨＩＧＨである場合（Ｓ８８：ＮＯ）、経過時間Ｔが発光期間ＨＴ２経過したか否かを確認する（Ｓ９０）。ＣＰＵ２０は、経過時間Ｔが発光期間ＨＴ２経過している場合（Ｓ９０：ＹＥＳ）、発光ダイオード４３Ａを非発光状態とし（Ｓ９６）、Ｓ３６の処理に戻る。
【００７８】
ＣＰＵ２０は、経過時間Ｔが発光期間ＨＴ２経過していない場合（Ｓ９０：ＮＯ）、経過時間Ｔが第２検知期間ＫＴ２経過したか否かを確認する（Ｓ９４）。ＣＰＵ２０は、経過時間Ｔが第２検知期間ＫＴ２経過している場合（Ｓ９４：ＹＥＳ）、Ｓ４０の処理に戻る。また、ＣＰＵ２０は、経過時間Ｔが第２検知期間ＫＴ２経過していない場合（Ｓ９４：ＮＯ）、Ｓ９０の処理に戻る。
【００７９】
２．本実施形態の効果
（１）本施形態の複合機１では、同一の発光期間ＨＴ２において検知された検知電位同士を比較し、検知結果が正常か否かを判断する。これによって、発光期間ＨＴ２において原稿トレイ４２に原稿が載置されているか否かを判断することができる。
【００８０】
（２）図１５及び図１６に示すように、同一の発光期間ＨＴ２に検知される複数の検知電位の検知タイミングは、温度等の環境条件を揃えるため、その時間間隔が比較的短く設定されることが好ましい。同一の発光期間ＨＴ２における検知タイミングの時間間隔を短く設定することで、第２検知期間ＫＴ２を短く設定することができ、発光ダイオード４３Ａの発光による電力消費を抑制し、複合機１をより省電力化することができる。
【００８１】
その一方、検知タイミングの時間間隔を短く設定すると、複数の検知タイミングに亘って、チャタリング（図１５）したり、ノイズ（図１６）が印加されることが多くなり、検知電位ＫＤ３と検知電位ＫＤ７の検知タイミングに亘ってノイズや振動等が印加された場合、これらの検知電位がともに誤検知（図１５、図１６の黒丸）してしまい、ＣＰＵ２０が誤った判断をしてしまう虞がある。
【００８２】
本施形態の複合機１では、同一の発光期間ＨＴ２において取得された検知電位同士を比較し、取得された検知結果が正常でないと判断される場合、検知電位の検知条件を第１検知条件Ｚ１に切り替えて検知電位を取得する。これによって、発光期間ＨＴ２における検知タイミングの時間間隔よりも長く設定されている第１検知期間ＫＴ１を用いて、原稿センサ４３の誤検知を抑制し、ＣＰＵ２０が誤った判断をしてしまうことを抑制することができる（図１５、図１６の白丸）。
【００８３】
＜他の実施形態＞
本発明は上記記述及び図面によって説明した実施形態に限定されるものではなく、例えば次のような種々の態様も本発明の技術的範囲に含まれる。
（１）上記実施形態では、複合機１を用いて説明を行ったが、本発明はこれに限られない。例えば、プリンタ機能、スキャナ機能、コピー機能、ファクシミリ機能の少なくとも１つの機能を備えた装置であっても良い。
【００８４】
（２）上記実施形態では、複合機１が１つのＣＰＵを有し、検知制御部２１、判断部２２、モード制御部２３等の機能を１つのＣＰＵ１２によって実行する例を用いて示したが、本発明はこれに限られない。例えば、お互いに異なるＣＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの専用回路等によって各部が構成されても良い。
【００８５】
（３）上記実施形態では、原稿トレイ４２に配置されている原稿センサ４３の検知電位に基づいて、検知電位の検知条件及び駆動部１４の動作モードを制御する例を用いて説明を行ったが、検知電位を取得するためのセンサは、原稿センサ４２に限られない。例えば、原稿載置部５０の開姿勢と閉姿勢を区別するセンサを用いても良ければ、搬送路４５内の原稿の有無を検知するためのセンサを用いても良い。
【００８６】
（４）上記実施形態では、原稿トレイ４２に原稿が載置されている場合に原稿センサ４３の検知電位がＬＯＷとなり、原稿トレイ４２に原稿が載置されていない場合に原稿センサ４３の検知電位がＨＩＧＨとなる例を用いて説明を行ったが、原稿トレイ４２に原稿が載置されているか否かを判断する際の原稿センサ４３の検知電位の設定、及び原稿センサ４３の仕様はこれに限られない。例えば、原稿トレイ４２に原稿が載置されている場合に原稿センサ４３の検知電位がＨＩＧＨとなってもよければ、発光ダイオード４３Ａからの光が入射された場合にオフする光励起トランジスタ４３Ｂを用いても良い。
【００８７】
（５）上記実施形態では、通常モードＭ１において取得した検知電位を、前回取得した検知電位と比較して、原稿トレイ４２に原稿が載置されているか否かを検知する例を用いて説明を行ったが、前回よりも前に測定された検知電位と比較しても良い。
【００８８】
原稿トレイ４２に原稿が載置されているか否かを検知するのであれば、例えば、原稿トレイ４２に原稿が載置されている状態に基づく基準結果を設定しておき、この基準状態と比較しても良い。また、本実施形態の検知タイミングや検知回数、検知条件等も、本発明の一例であり、これに限られない。
【符号の説明】
【００８９】
１：複合機、３：画像読取装置、１１：操作部、１２：表示部、２０：ＣＰＵ、２１：検知制御部、２２：判断部、２３：モード制御部、２４：ＲＯＭ、２６：ＲＡＭ、３０：読取部、４０：ＡＤＦ、４２：原稿トレイ、４３：原稿センサ、４３Ａ：発光ダイオード、４３Ｂ：光励起トランジスタ、４４：遮蔽部材、５０：原稿載置部、Ｍ１：通常モード、Ｍ２：スリープモード、Ｚ１：第１検知条件、Ｚ２：第２検知条件、ＫＴ１：第１検知期間、ＫＴ２：第２検知期間、ＨＴ１：非発光期間、ＨＴ２：発光期間、ＫＤ：検知電位
【図１】
0005348119.tif 000002
【図２】
0005348119.tif 000003
【図３】
0005348119.tif 000004
【図４】
0005348119.tif 000005
【図５】
0005348119.tif 000006
【図６】
0005348119.tif 000007
【図７】
0005348119.tif 000008
【図８】
0005348119.tif 000009
【図９】
0005348119.tif 000010
【図１０】
0005348119.tif 000011
【図１１】
0005348119.tif 000012
【図１２】
0005348119.tif 000013
【図１３】
0005348119.tif 000014
【図１４】
0005348119.tif 000015
【図１５】
0005348119.tif 000016
【図１６】
0005348119.tif 000017